(57)【要約】【課題】  CD等の光ディスクの特殊再生をする場合、アナログレコードの特殊再生を行う場合と同様の操作により特殊再生を行うことができる光ディスク再生装置を提供する。【解決手段】  光ディスクに記録されたオーディオデータを読み取る読取部と、オーディオデータを記憶する記憶部と、記憶部に記憶されたオーディオデータの読み出し速度及び読み出し順序を指示する操作円盤部と、操作円盤部を上下移動させる機構部と、操作円盤部の回転速度及び方向を検出し第１の制御信号を出力する第１の検出部と、操作円盤部が機構部により予め定められた位置まで下がったことを検出し第２の制御信号を出力する第２の検出部と、第１及び第２の制御信号が入力されると第１の制御信号に基づいてオーディオデータの読み出し速度及順序を制御し、第１の制御信号のみが入力されると第１の制御信号に基づいてオーディオデータの読み出し速度のみを制御する制御部とを備える。【選択図】  図２
2005158099.tif 000002
【特許請求の範囲】
【請求項１】
光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する操作円盤部とを備えた光ディスク再生装置において、
前記操作円盤部を上下移動させる機構部と、
前記操作円盤部の回転速度及び回転方向を検出して第１の制御信号を出力する第１の検出部と、
前記操作円盤部が前記機構部により予め定められた位置まで下がったことを検出して第２の制御信号を出力する第２の検出部と、
前記第１の制御信号及び前記第２の制御信号が入力されると前記第１の制御信号に基づいて前記記憶部に記憶されたオーディオデータの読み出し速度及び読み出し順序を制御し、前記第１の制御信号のみが入力されると前記第１の制御信号に基づいて前記記憶部に記憶されたオーディオデータの読み出し速度のみを制御する制御部とを備えることを特徴とする光ディスク再生装置。
【請求項２】
請求項１に記載の光ディスク再生装置において、
前記制御部は、前記第１の制御信号及び前記第２の制御信号の入力の後、前記第２の制御信号の入力が停止し前記第１の制御信号のみ入力すると、前記記憶部に記憶されたオーディオデータを予め定められた読み出し速度及び読み出し順序で読み出す制御をすることを特徴とする光ディスク再生装置。
【請求項３】
請求項１又は請求項２記載の光ディスク再生装置において、
前記機構部は弾性部を有し、当該弾性部は前記操作円盤部の下方に位置し、前記操作円盤部は前記弾性部の弾性力により上下移動することを特徴とする光ディスク再生装置。
【請求項４】
請求項１又は請求項２記載の光ディスク再生装置において、
前記機構部は、複数の磁性部を有し、
前記操作円盤部は、前記磁性部の引力又は斥力により上下移動することを特徴とする光ディスク再生装置。
【発明の詳細な説明】
【技術分野】
【０００１】
本発明は、光ディスクから読み取ったオーディオデータを記憶部に記憶し、記憶部に記憶したオーディオデータの読み出し速度及び読み出し順序を指示する操作円盤部を備えた光ディスク再生装置に関する。
【背景技術】
【０００２】
光ディスク再生装置を操作してオーディオデータを再生するディスクジョッキー（DJ、Disc Jockey）は、アナログレコード又はコンパクトディスク（CD、Compact Disc）等の光ディスクに記録されたオーディオデータを再生している最中に、擦れ音のような効果音を発生させるスクラッチ再生と呼ばれる特殊再生を行うことがある。DJは、アナログレコードプレーヤを用いてスクラッチ再生を行う場合、再生中のアナログレコードを素早く
通常の回転方向である時計回り方向又は
その反対方向である反時計回り方向に強制的に手動で回すことにより擦れ音を発生させる。また、このアナログレコードプレーヤによるスクラッチ再生と同様のスクラッチ再生を行うことが可能なDJ用CDプレーヤがある。このDJ用CDプレーヤは、操作円盤部（以下、適時ジョグダイヤルという。）と記憶部（メモリ）を備え、CDから再生したオーディオデータをメモリに記憶し、ジョグダイヤルを時計回り方向又は反時計回り方向に回転することにより、メモリに記憶されたオーディオデータの読み出し速度と読み出し順序を制御し、アナログレコードによる擦れ音と同等の効果音を発生させる。このように、DJは、CDに記録されたオーディオデータをDJ用CDプレーヤにより再生しているとき、ジョグダイヤルをアナログレコードと同じように回転操作して、アナログレコードと同様のスクラッチ再生を行うことができる（例えば、特許文献１参照。）。
【０００３】
特許文献１に記載されているようなDJ用CDプレーヤは、ジョグダイヤルが操作されない場合、CDに記録されたオーディオデータを標準速度で再生（以下、通常再生という。）する。ジョグダイヤルが回転操作された場合、CDプレーヤは、ジョグダイヤルの回転速度及び回転方向を検出し、検出した回転速度及び回転方向に応じて、CDから再生しメモリに記憶したオーディオデータの読み出し速度及び読み出し順序を変えるスクラッチ再生を行う。
【０００４】
【特許文献１】特開平１１−８６４４６号公報
【発明の開示】
【発明が解決しようとする課題】
【０００５】
特許文献１に記載されているDJ用CDプレーヤにおいて、DJがジョグダイヤルを回転操作してジョグダイヤルから手を離した場合、ジョグダイヤルの回転が、慣性により直ぐに停止しないことがある。スクラッチ再生を行う場合、DJは、時計回り方向又は反時計回り方向にジョグダイヤルを素早く回転させるので、スクラッチ再生を終了し通常再生に戻るためにジョグダイヤルから手を離したとき、ジョグダイヤルは、慣性により回転が停止するまでに時間を要するため、DJが意図したタイミングでスクラッチ再生から通常再生に戻ることができない。したがって、ジョグダイヤルを備えたCDプレーヤでは、アナログレコードと同様にジョグダイヤルを回転操作しても、アナログレコードのスクラッチ再生による効果音と同等の効果音を発生させることができないという課題があった。
【０００６】
また、DJは、アナログレコードプレーヤによりアナログレコードを再生しているとき、アナログレコードを予め定められた回転数より速く回転させたり、遅く回転させるピッチベンドと呼ばれる操作を行う場合がある。DJは、ピッチベンドの操作を行うことにより、オーディオデータの再生速度を変化させて、他のアナログレコードプレーヤから再生されているオーディオデータの再生速度に合わせることができる。特許文献１に記載されているDJ用CDプレーヤは、ジョグダイヤルの操作の機能（スクラッチ機能、ピッチベンド機能など）を選択する選択ボタンを備えている。DJは、この選択ボタンを操作することにより、ジョグダイヤルの操作機能をスクラッチ機能からピッチベンド機能に切り替えていた。しかし、アナログレコードプレーヤによる操作に慣れたDJにとっては、この選択ボタンを用いてジョグダイヤルの操作機能の選択を行う操作がアナログレコードプレーヤの操作と異なるため、DJ用CDプレーヤの操作に違和感があるという課題があった。
【０００７】
本発明は、上記の課題を解決するためになされたものであり、アナログレコードのスクラッチ再生やピッチベンド再生を行う場合と同様の操作により光ディスクのスクラッチ再生やピッチベンド再生を行うことができる光ディスク再生装置を提供することを目的とする。
【課題を解決するための手段】
【０００８】
上記の課題を解決するために、本願の請求項１記載の発明は、光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する操作円盤部とを備えた光ディスク再生装置において、前記操作円盤部を上下移動させる機構部と、前記操作円盤部の回転速度及び回転方向を検出して第１の制御信号を出力する第１の検出部と、前記操作円盤部が前記機構部により予め定められた位置まで下がったことを検出して第２の制御信号を出力する第２の検出部と、前記第１の制御信号及び前記第２の制御信号が入力されると前記第１の制御信号に基づいて前記記憶部に記憶されたオーディオデータの読み出し速度及び読み出し順序を制御し、前記第１の制御信号のみが入力されると前記第１の制御信号に基づいて前記記憶部に記憶されたオーディオデータの読み出し速度のみを制御する制御部とを備えることを特徴とする。
【０００９】
また、本願の請求項２記載の発明は、請求項１に記載の光ディスク再生装置において、前記制御部は、前記第１の制御信号及び前記第２の制御信号の入力の後、前記第２の制御信号の入力が停止し前記第１の制御信号のみ入力すると、前記記憶部に記憶されたオーディオデータを予め定められた読み出し速度及び読み出し順序で読み出す制御をすることを特徴とする。
【００１０】
また、本願の請求項３記載の発明は、請求項１又は請求項２記載の光ディスク再生装置において、前記機構部は弾性部を有し、当該弾性部は前記操作円盤部の下方に位置し、前記操作円盤部は前記弾性部の弾性力により上下移動することを特徴とする。
【００１１】
また、本願の請求項４記載の発明は、請求項１又は請求項２記載の光ディスク再生装置において、前記機構部は、複数の磁性部を有し、前記操作円盤部は、前記磁性部の引力又は斥力により上下移動することを特徴とする。
【発明の効果】
【００１２】
本発明の光ディスク再生装置によれば、ジョグダイヤルを用いてスクラッチ再生を行う場合、スクラッチ再生終了後、直ちに、通常再生を再開することができる。また、本発明の光ディスク再生装置によれば、機能切り替えの選択ボタンを必要とせずにジョグダイヤルを用いてピッチベンド操作をすることができる光ディスク再生装置を提供することができる。
【発明を実施するための最良の形態】
【００１３】
以下、本発明の実施の形態を図面に基づいて説明する。
図１は、本発明の一実施例である光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はDAC（Digital to Analog Converter）、１０は出力端子、１１は制御部、１２は操作部、１３は表示部を示す。本発明の一実施例である光ディスク再生装置は、操作部１２にジョグダイヤル部としての操作円盤部を備え、操作円盤部の回転速度及び回転方向に応じて、CDから再生しRAM８に記憶されたデジタルオーディオデータの読み出し速度及び読み出し順序を変えることができるDJ用のCDプレーヤである。
【００１４】
スピンドルモータ２に固定されたターンテーブル１は、CDを固定する。操作部１４から再生開始の指示が入力されると、サーボ制御部３は、スピンドルモータ２を所定の線速度で回転駆動させる制御をする。また、サーボ制御部３は、光ピックアップ４からのレーザ光をCDのピット列を正しくトレースするために、図示しないフォーカスサーボ回路とトラッキングサーボ回路を制御する。
【００１５】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。
【００１６】
メモリ制御部７は、入力されたデジタルオーディオデータをRAM８に入力するよう制御する。RAM８は、入力されたデジタルオーディオデータを記憶する。RAM８が記憶したデジタルオーディオデータは、メモリ制御部７の制御により読み出されDAC９に入力される。DAC９は、デジタルオーディオデータをアナログオーディオ信号に変換する。DAC９により変換されたアナログオーディオ信号は、出力端子１１から出力される。
【００１７】
表示部１３は、現在再生しているトラックの再生時間、トラックナンバー等を表示する。操作部１４は、ジョグダイヤル部、再生ボタン、再生停止ボタン、イジェクトボタンを備えている。
【００１８】
図２及び図３は、本発明の第１の実施例であるCDプレーヤのジョグダイヤル部の側断面を示す図である。図２及び図３において、２１は操作円盤部、２２は円盤部、２２aはスリット部、２２bは突起部、２３は回転軸、２４は弾性部、２５は保持部、２６は第１光センサ部、２７は第２光センサ部、２８は操作円盤部２２を取り付けるパネル、２９はCDプレーヤの筐体部を示す。本実施例のCDプレーヤでは、操作円盤部２１は、直径１０cm〜３０cmの大きさであり（アナログレコードの大きさに相当する。）、CDプレーヤの上面に取り付けられている。
【００１９】
操作円盤部２１は、中心部に回転軸２３が挿入され図示しないネジにより回転軸２３と固定されている。同様にして、円盤部２２は、円盤部２２の中心部に回転軸２３が挿入され図示しないネジにより回転軸２３と固定されている。したがって、操作円盤部２１と円盤部２２は、回転軸２３を介して一体的な構造となっているため、操作円盤部２１が回転操作されると、円盤部２２も操作円盤部２１と同じ回転速度及び同じ回転方向に回転する。回転軸２３は、パネル２８に取り付けられた保持部２５により保持され、バネやゴムなどの弾性部２４を介して筐体部２９に固定されている。
【００２０】
円盤部２２には、外周部に円環状のスリット部２２aが設けられ、内周部に円環状の突起部２２bが設けられている。スリット部２２aは、例えば、長方形状の開口部又はカーボンが含まれた印刷塗料による印刷によって形成されている。
【００２１】
第１光センサ部２６は、操作円盤部２１と共に回転する円盤部２２の回転速度及び回転方向を検出するために、２つの光センサを備え、スリット部２２aを検出する位置に筐体部２９に固定されている。第１光センサ部２６は、スリット部２２aを検出すると、２つの光センサから位相が異なる（例えば、９０°の位相差）パルス信号a及びパルス信号bを発生して制御部１１に出力する。本実施例では、この位相の異なるパルス信号a及びパルス信号bを第１制御信号という。
【００２２】
第２光センサ部２７は、図３に示すように操作円盤部２１が操作者（DJ）により押圧され円盤部２２が弾性部２４を圧縮し、円盤部２２が予め定められた位置まで下がると突起部２２bを検出する位置に筐体部２９に取り付けられている。第２光センサ部２７は、突起部２２bを検出すると、第２制御信号を制御部１１に入力する。
【００２３】
制御部１１は、入力される第１制御信号のパルス信号aとパルス信号bの位相差に基づいて操作円盤部２１の回転方向を判別する。例えば、パルス信号a及びパルス信号bの位相差が９０°である場合、操作円盤部２１が時計回り方向に回転しているとき、パルス信号aは、パルス信号bに対して、＋９０°の位相差となる。また、操作円盤部２１が反時計回り方向に回転しているとき、パルス信号aは、パルス信号bに対して、−９０°の位相差となる。また、制御部１１は、一定時間に入力された第１制御信号のパルス信号a又はパルス信号bのどちらか一方のパルス信号のパルス数から操作円盤部２１の回転速度を判別する。
【００２４】
制御部１１は、後述するように、第１制御信号及び第２制御信号が共に入力されたとき、判別した操作円盤部２１の回転速度及び回転方向に対応した読み出し速度及び読み出し順序でRAM８からデジタルオーディオデータを読み出すようにメモリ制御部７を制御する。メモリ制御部７は、RAM８に記憶されたデジタルオーディオデータの読み出し速度及び読み出し順序（オーディオデータを昇順アドレスで読み出す又は降順で読み出す）を制御する。例えば、制御部１１は、操作円盤部２１が時計回り方向に回転操作されると、RAM８に記憶されたデジタルオーディオデータを昇順アドレスで読み出すように制御をし、操作円盤部２１が反時計回り方向に回転操作されると、RAM８に記憶されたデジタルオーディオデータを降順アドレスで読み出すように制御をする。
【００２５】
また、制御部１１は、後述するように、第１制御信号及び第２制御信号が共に入力されていない状態から第１制御信号のみが入力されたとき、判別した操作円盤部２１の回転方向に応じて、RAM８から読み出すデジタルオーディオデータの読み出し速度を高く又は低くするようにメモリ制御部７を制御する。メモリ制御部７は、RAM８に記憶されたデジタルオーディオデータの読み出し速度を制御する。
【００２６】
第１の実施例の操作円盤部２１を用いた本実施例のCDプレーヤの再生動作について説明する。図４は、制御信号に対する再生動作について説明する図である。
DJは、操作部１４の再生ボタンを押すことにより、CDに記録されたオーディオデータの通常再生を開始させる。本実施例のCDプレーヤは、制御部１１に第１制御信号と第２制御信号が共に入力されていないとき、つまり、操作円盤部２１が回転操作されていないとき通常再生を行う。
【００２７】
スクラッチ再生を行う場合、DJは、通常再生をしているときに手で操作円盤部２１を押しながら素早く時計回り方向又は反時計回り方向に回転させる。通常、アナログレコードプレーヤを用いてスクラッチ再生を行うとき、ターンテーブルの回転に逆らって素早くアナログレコードを回転させるために、DJがアナログレコードを押しながら回転操作を行うため、同様の操作感覚で操作円盤部２１を操作すると、操作円盤部２１は、下方向に押圧されながら回転操作される。DJが操作円盤部２１を押しながら回転操作すると、図３に示すように、弾性部２４が圧縮され、操作円盤部２１はパネル２８に対して筐体部２９の方向に下がる。操作円盤部２１と円盤部２２は、一体的な構造となっているため、操作円盤部２１が筐体部２９の方向に下がると、円盤部２２も同様に筐体部２９の方向に下がる。円盤部２２が予め定められた位置まで下がると、第２光センサ部２７は、突起部２２bを検出し第２制御信号を発生して制御部１１に出力する。また、第１光センサ部２６は、スリット部２２aを検出すると、第１制御信号（上述したパルス信号a及びパルス信号b）を発生して制御部１１に出力する。したがって、操作円盤部２１が押圧されながら回転操作を開始（図４に示すA点）すると、図４に示すように、第１制御信号及び第２制御信号が発生し制御部１１に入力される。
【００２８】
制御部１１は、第１制御信号及び第２制御信号が共に入力されているとき、第１制御信号に基づいて判別した操作円盤部２１の回転速度及び回転方向に対応した読み出し速度及び読み出し順序でRAM８からデジタルオーディオデータを読み出すようにメモリ制御部７を制御する。
【００２９】
DJが操作円盤部２１から手を離しスクラッチ再生を終了（図４に示すB点）すると、操作円盤部２１は、弾性部２４の弾性力により上方に移動し、図２に示すように押圧する前の位置に戻る。同時に、円盤部２２も上方に移動し、第２光センサ部２７は、突起部２２bを検出しなくなる。制御部１１は、第１光センサ部２６から第１制御信号が入力されていても、第２光センサ部２７から第２制御信号の入力が停止すると、メモリ制御部７に通常再生時の読み出し速度でRAM８からデジタルオーディオデータを読み出す制御をさせる。すなわち、図４に示すように、制御部２２は、第１制御信号及び第２制御信号が共に入力されている場合は、第１制御信号に基づいてRAM８からデジタルオーディオデータを読み出す制御をし、第２制御信号の入力が停止し第１制御信号のみが入力されている状態（図４に示すCの部分）になると、デジタルオーディオデータを通常再生時の読み出し速度でRAM８から読み出す制御をする。したがって、操作円盤部２１が慣性によって回転している間に発生した第１制御信号（図４に示すCの部分）が制御部１１に入力されていても、本実施例のCDプレーヤは、制御部１１に第２制御信号の入力が停止するとスクラッチ再生から通常再生に戻ることができる。
【００３０】
次に、ピッチベンド操作を行う場合について説明する。ピッチベンド操作を行う場合、DJは、通常再生をしているときに（第２光センサ部２７が突起部２２bを検出する位置まで円盤部２２が下がらない力加減で）操作円盤部２１を時計回り方向又は反時計回り方向に回転させる。第１光センサ部２６は、スリット部２２aを検出すると、第１制御信号（パルス信号a及びパルス信号b）を発生して制御部１１に出力する。このとき、円盤部２２が予め定められた位置まで下がらないので、第２光センサ部２７は、突起部２２bを検出せず第２制御信号を出力しない。
【００３１】
制御部１１は、第１制御信号及び第２制御信号が共に入力されていない状態から、第１制御信号のみが入力される状態になると、第１制御信号のパルス信号aとパルス信号bの位相差に基づいて判別した操作円盤部２１の回転方向に応じて、メモリ制御部７にRAM８から読み出すデジタルオーディオデータの読み出し速度を高く又は低くする制御をさせる。例えば、DJが操作円盤部２１を時計回り方向に回転操作すると、制御部１１は、操作円盤部２１の回転数（入力されたパルス信号a又はパルス信号bのパルス数）に応じて、RAM８から読み出すデジタルオーディオデータの速度を高くしていくようにメモリ制御部７を制御する。逆に、DJが操作円盤部２１を反時計回り方向に回転操作すると、制御部１１は、操作円盤部２１の回転数に応じて、RAM８から読み出すデジタルオーディオデータの速度を低くしていくようにメモリ制御部７を制御する。
【００３２】
図５及び図６は、本発明の第２の実施例であるCDプレーヤのジョグダイヤル部の側断面を示す図である。図５及び図６中、図２と同様の部分には同じ符号を付して説明を省略する。図５及び図６において、３０は第１磁石、３１は第２磁石を示す。
【００３３】
図５に示すように、第１磁石３０は、パネル２８の下面に取り付けられている。第２磁石３１は、第１磁石３０と対向するように円盤部２２の上面に取り付けられている。そして、第１磁石３０と第２磁石３１は、各々異なる磁極が対向するように取り付けられている。このため、円盤部２２は、操作円盤部２１が押圧されていない状態では、第１磁石３０と第２磁石３１の引力により、上方（パネル２８の方向）に移動すると共に、操作円盤部２１も上方に移動する。図５に示すように、操作円盤部２１及び円盤部２２が上方に移動しているとき、円盤部２２に設けられた突起部２２bは、第２光センサ部２７に検出されない位置にある。
【００３４】
第２の実施例の操作円盤部２１を用いた本実施例のCDプレーヤの再生動作について説明する。DJは、操作部１４の再生ボタンを押すことにより、CDに記録されたオーディオデータの通常再生を開始させる。本実施例のCDプレーヤは、制御部１１に第１制御信号と第２制御信号が共に入力されていないとき、つまり、操作円盤部２１が回転操作されていないとき通常再生を行う。
【００３５】
スクラッチ再生を行う場合、DJは、通常再生をしているときに手で操作円盤部２１を押しながら素早く時計回り方向又は反時計回り方向に回転させる。DJが操作円盤部２１を押しながら回転操作すると、図６に示すように、第１磁石３０と第２磁石３１の引力に逆らって操作円盤部２１は、パネル２８に対して筐体部２９の方向に下がる。操作円盤部２１と円盤部２２が一体的な構造となっているため、円盤部２２も同様に筐体部２９の方向に下がる。図６に示すように、円盤部２２が予め定められた位置まで下がると、第２光センサ部２７は、突起部２２bを検出し第２制御信号を発生して制御部１１に出力する。また、第１光センサ部２６は、スリット部２２aを検出すると、第１制御信号（パルス信号a及びパルス信号b）を発生して制御部１１に出力する。
【００３６】
制御部１１は、第１制御信号及び第２制御信号が共に入力されているとき、第１制御信号に基づいて判別した操作円盤部２１の回転速度及び回転方向に対応した読み出し速度及び読み出し順序でRAM８からデジタルオーディオデータを読み出すようにメモリ制御部７を制御する。
【００３７】
DJが操作円盤部２１から手を離しスクラッチ再生を終了すると、操作円盤部２１は、第１磁石３０と第２磁石３１の引力により図５に示すように押圧する前の位置に戻る。同時に、円盤部２２も上方に移動し、第２光センサ部２７は、突起部２２bを検出しなくなる。制御部１１は、第１光センサ部２６から第１制御信号が入力されていても、第２光センサ部２７から第２制御信号の入力が停止すると、メモリ制御部７に通常再生時の読み出し速度でRAM８からデジタルオーディオデータを読み出す制御をさせる。すなわち、図４に示すように、制御部２２は、第１制御信号及び第２制御信号が共に入力されている場合は、第１制御信号に基づいてRAM８からデジタルオーディオデータを読み出し、第２制御信号の入力が停止し第１制御信号のみが入力されている状態になると、デジタルオーディオデータを通常再生時の読み出し速度でRAM８から読み出す制御をする。したがって、操作円盤部２１が慣性によって回転している間に発生した第１制御信号（図４のCの部分）が制御部１１に入力されていても、本実施例のCDプレーヤは、制御部１１に第２制御信号の入力が停止すると通常再生に戻ることができる。
【００３８】
次に、ピッチベンド操作を行う場合について説明する。ピッチベンド操作を行う場合、DJは、通常再生をしているとき（第２光センサ部２７が突起部２２bを検出する位置まで円盤部２２が下がらない力加減で）操作円盤部２１を時計回り方向又は反時計回り方向に回転させる。第１光センサ部２６は、スリット部２２aを検出すると、第１制御信号（パルス信号a及びパルス信号b）を発生して制御部１１に出力する。このとき、円盤部２２が予め定められた位置まで下がらないので、第２光センサ部２７は、突起部２２bを検出せず第２制御信号を出力しない。
【００３９】
制御部１１は、第１制御信号及び第２制御信号が共に入力されていない状態から、第１制御信号のみが入力される状態になると、第１制御信号のパルス信号aとパルス信号bの位相差に基づいて判別した操作円盤部２１の回転方向に応じて、メモリ制御部７にRAM８から読み出すデジタルオーディオデータの読み出し速度を高く又は低くする制御をさせる。例えば、DJが操作円盤部２１を時計回り方向に回転操作すると、制御部１１は、操作円盤部２１の回転数（入力されたパルス信号a又はパルス信号bのパルス数）に応じて、RAM８から読み出すデジタルオーディオデータの速度を高くしていくようにメモリ制御部７を制御する。逆に、DJが操作円盤部２１を反時計回り方向に回転操作すると、制御部１１は、操作円盤部２１の回転数に応じて、RAM８から読み出すデジタルオーディオデータの速度を低くしていくようにメモリ制御部７を制御する。
【００４０】
図７及び図８は、本発明の第３の実施例であるCDプレーヤのジョグダイヤル部の側断面を示す図である。図７及び図８中、図５と同様の部分には同じ符号を付して説明を省略する。
【００４１】
図８に示す検出スイッチ３２は、円盤部２２と当接するように筐体部２９に固定されている。検出スイッチ３２は、操作円盤部２１が予め定められた位置まで下がり、円盤部２２が検出スイッチ３２のスイッチ部を押圧すると、第３制御信号（上述した第２光センサ部２７が発生する第２制御信号に相当する。）を制御部１１に入力する。第１磁石３０は、円盤部２２の下面に取り付けられている。第２磁石３１は、第１磁石３０と対向するように筐体部２９に取り付けられている。そして、第１磁石３０と第２磁石３１は、各々同じ磁極が対向するように取り付けられている。このため、円盤部２２は、操作円盤部２１が押圧されていない状態では、第１磁石３０と第２磁石３１の斥力により、上方（パネル２８の方向）に移動すると共に、操作円盤部２１も上方に移動する。図７に示すように、操作円盤部２１及び円盤部２２が上方に移動しているとき、円盤部２２は、検出スイッチ３２のスイッチ部を押圧しない位置にある。
【００４２】
第３の実施例の操作円盤部２１を用いた本実施例のCDプレーヤの再生動作について説明する。DJは、操作部１４の再生ボタンを押すことにより、CDに記録されたオーディオデータの通常再生を開始させる。本実施例のCDプレーヤは、制御部１１に第１制御信号と第３制御信号が共に入力されていないとき、つまり、操作円盤部２１が回転操作されていないとき通常再生を行う。
【００４３】
スクラッチ再生を行う場合、DJは、通常再生をしているときに手で操作円盤部２１を押しながら素早く時計回り方向又は反時計回り方向に回転させる。DJが操作円盤部２１を押しながら回転操作すると、図８に示すように、第１磁石３０と第２磁石３１の斥力に逆らって操作円盤部２１は、パネル２８に対して筐体部２９の方向に下がる。操作円盤部２１と円盤部２２が一体的な構造となっているため、円盤部２２も同様に筐体部２９の方向に下がる。円盤部２２が予め定められた位置まで下がり検出スイッチ３２のスイッチ部を押圧すると、検出スイッチ３２は、第３制御信号を発生して制御部１１に出力する。また、第１光センサ部２６は、スリット部２２aを検出すると、第１制御信号（パルス信号a及びパルス信号b）を発生して制御部１１に出力する。したがって、操作円盤部２１が押圧されながら回転操作を開始（図４に示すA点）すると、図４に示すように、第１制御信号及び第３制御信号が発生し制御部１１に入力される。
【００４４】
制御部１１は、第１制御信号及び第３制御信号が共に入力されているとき、第１制御信号に基づいて判別した操作円盤部２１の回転速度及び回転方向に対応した読み出し速度及び読み出し順序でRAM８からデジタルオーディオデータを読み出すようにメモリ制御部７を制御する。
【００４５】
DJが操作円盤部２１から手を離しスクラッチ再生を終了すると、操作円盤部２１は、第１磁石３０と第２磁石３１の斥力により図７に示すように押圧する前の位置に戻る。同時に、円盤部２２も上方に移動し、円盤部２２が検出スイッチ３２のスイッチ部を押圧しなくなる。制御部１１は、第１光センサ部２６から第１制御信号が入力されていても、検出スイッチ３２から第３制御信号の入力が停止すると、メモリ制御部７に通常再生時の読み出し速度でRAM８からデジタルオーディオデータを読み出す制御をさせる。すなわち、図４に示すように、制御部２２は、第１制御信号及び第３制御信号が共に入力されている場合は、第１制御信号に基づいてRAM８からデジタルオーディオデータを読み出し、第３制御信号の入力が停止し第１制御信号のみが入力されている状態になると、デジタルオーディオデータを通常再生時の読み出し速度でRAM８から読み出す制御をする。したがって、操作円盤部２１が慣性によって回転している間に発生した第１制御信号（図４のCの部分）が制御部１１に入力されていても、本実施例のCDプレーヤは、制御部１１に第３制御信号の入力が停止すると通常再生に戻ることができる。
【００４６】
次に、ピッチベンド操作を行う場合について説明する。ピッチベンド操作を行う場合、DJは、通常再生をしているとき（円盤部２２が検出スイッチ３２のスイッチ部を押圧する位置まで下がらない力加減で）操作円盤部２１を時計回り方向又は反時計回り方向に回転させる。第１光センサ部２６は、スリット部２２aを検出すると、第１制御信号（パルス信号a及びパルス信号b）を発生して制御部１１に出力する。このとき、検出スイッチ３２は、円盤部２２が検出スイッチ３２のスイッチ部を押圧しないので第３制御信号を出力しない。
【００４７】
制御部１１は、第１制御信号及び第３制御信号が共に入力されていない状態から、第１制御信号のみが入力される状態になると、第１制御信号のパルス信号aとパルス信号bの位相差に基づいて判別した操作円盤部２１の回転方向に応じて、メモリ制御部７にRAM８から読み出すデジタルオーディオデータの読み出し速度を高く又は低くする制御をさせる。例えば、DJが操作円盤部２１を時計回り方向に回転操作すると、制御部１１は、操作円盤部２１の回転数（入力されたパルス信号a又はパルス信号bのパルス数）に応じて、RAM８から読み出すデジタルオーディオデータの速度を高くしていくようにメモリ制御部７を制御する。逆に、DJが操作円盤部２１を反時計回り方向に回転操作すると、制御部１１は、操作円盤部２１の回転数に応じて、RAM８から読み出すデジタルオーディオデータの速度を低くしていくようにメモリ制御部７を制御する。
【００４８】
図９は、本発明の第１〜第３の実施例のCDプレーヤの再生動作を説明するフローチャートである。
図９に示すステップ１は、CDに記録されたデジタルオーディオデータを読み取り、読み取ったデジタルオーディオデータをRAM８に記憶するステップである。
ステップ２は、制御部１１が通常再生時の読み出し速度でデジタルオーディオデータをRAM８から読み出す制御をするステップである。制御部１１は、第１制御信号及び第２制御信号（又は第３制御信号）が共に入力されていないとき、メモリ制御部７に通常再生時の読み出し速度でRAM８からデジタルオーディオデータを読み出す制御をする。
【００４９】
ステップ３は、第１光センサ部２６から第１制御信号が制御部１１に入力されたか否かを制御部１１が判別するステップである。操作円盤部２１が回転操作されると、第１センサ部２６は、スリット部２２aを検出し第１制御信号（パルス信号a及びパルス信号b）を発生して制御部１１に出力する。第１制御信号が制御部１１に入力された場合はステップ４に進む。
【００５０】
ステップ４は、第２制御信号が制御部１１に入力されたか否かを、または、第３制御信号が制御部１１に入力されたか否かを制御部１１が判別するステップである。ステップ３において、操作円盤部２１が下方向に押圧されながら回転操作され、第２センサ部２７が突起部２２bを検出し第２制御信号を発生すると、第１制御信号及び第２制御信号が共に制御部１１に入力される。または、円盤部２２が検出スイッチ３２のスイッチ部を押圧して検出スイッチ３２が第３制御信号を発生すると、第１制御信号及び第３制御信号が共に制御部１１に入力される。したがって、操作円盤部２１が押圧されながら回転操作を開始（図４に示すA点）すると、図４に示すように、第１制御信号及び第２制御信号又は第３制御信号が制御部１１に入力される。制御部１１に第１制御信号及び第２制御信号又は第３制御信号が入力された場合はステップ５に進む。制御部１１に第１制御信号のみが入力された場合はステップ８に進む。
【００５１】
ステップ５は、制御部１１が操作円盤部２１の操作機能をスクラッチ機能とする制御をするステップである。制御部１１は、図４に示すように、第１制御信号及び第２制御信号又は第３制御信号が入力されているとき、操作円盤部２１の操作機能をスクラッチ機能とする制御をする。そして、制御部１１は、第１光センサ部２６から入力される第１制御信号に基づいて、RAM８から読み出すデジタルオーディオデータの読み出し速度及び読み出し順序（オーディオデータを昇順アドレスで読み出す又は降順で読み出す）を制御する。
【００５２】
ステップ６は、制御部１１に第２制御信号又は第３制御信号の入力が停止したか否かを制御部１１が判別するステップである。回転操作が終了し、操作円盤部２１が弾性部２４の弾性力により図２に示すように押圧する前の位置に戻ると、第２センサ部２７は、制御部１１に第２制御信号の出力を停止する。または、検出スイッチ３２は、制御部１１に第３制御信号の出力を停止する。第２制御信号又は第３制御信号の入力が停止した場合はステップ７に進む。
【００５３】
ステップ７は、制御部１１が通常再生時の読み出し速度でデジタルオーディオデータをRAM８から読み出す制御をするステップである。制御部１１は、図４に示すように、第２制御信号又は第３制御信号の入力が停止すると、メモリ制御部７に通常再生時の読み出し速度でRAM８からデジタルオーディオデータを読み出す制御をする。ここで、操作円盤部２１の回転操作が終了した後、図４のCの部分に示すように、操作円盤部２１が慣性により回転し第１制御信号が制御部１１に入力しても、制御部１１は、第２制御信号又は第３制御信号の入力が停止すると通常再生を行う制御をする。このため、操作円盤部２１の回転操作を終了すると、スクラッチ再生から通常再生に戻ることができる。
【００５４】
ステップ８は、制御部１１が操作円盤部２１の操作機能をピッチベンド機能とする制御をするステップである。制御部１１は、第１制御信号のみ入力されているとき、操作円盤部２１の操作機能をピッチベンド機能とする制御をする。そして、制御部１１は、第１光センサ部２６から入力される第１制御信号に基づいて、メモリ制御部７にRAM８から読み出すデジタルオーディオデータの読み出し速度を高く又は低くする制御する。
【００５５】
ステップ９は、制御部１１に第１制御信号の入力が停止したか否かを制御部１１が判別するステップである。操作円盤部２１の回転が停止すると、第１センサ部２６は、制御部１１に第１制御信号の入力を停止する。第１制御信号の入力が停止した場合はステップ７に進む。
【００５６】
上述した第２の実施例において、第１磁石３０と第２磁石３２のどちらか一方を鉄板などにすることもできる。また、第２の実施例及び第３の実施例において、第１磁石３０及び第２磁石３２を電磁石にすることもでき、この電磁石に流れる電流を調節することにより、電磁石の引力又は斥力を調節することができる。
【００５７】
上述したように、実施例の操作円盤部２１を用いた本実施例のCDプレーヤでは、DJが手で操作円盤部２１を押しながらスクラッチ再生を行い、操作円盤部２１から手を離しスクラッチ再生を終了すると、直ちに、スクラッチ再生から通常再生に戻ることができる。また、操作円盤部２１を押す力加減に応じて、スクラッチ再生又はピッチベンド操作をすることができる。
【図面の簡単な説明】
【００５８】
【図１】本発明の実施例であるCDプレーヤの構成を示すブロック図。
【図２】本発明の第１の実施例のジョグダイヤル部の側断面を示す図（操作円盤部が押圧されていない状態）。
【図３】本発明の第１の実施例のジョグダイヤル部の側断面を示す図（操作円盤部が押圧された状態）。
【図４】制御信号に対する再生動作について説明する図。
【図５】本発明の第２の実施例のジョグダイヤル部の側断面を示す図（操作円盤部が押圧されていない状態）。
【図６】本発明の第２の実施例のジョグダイヤル部の側断面を示す図（操作円盤部が押圧された状態）。
【図７】本発明の第３の実施例のジョグダイヤル部の側断面を示す図（操作円盤部が押圧されていない状態）。
【図８】本発明の第３の実施例のジョグダイヤル部の側断面を示す図（操作円盤部が押圧された状態）。
【図９】本実施例のCDプレーヤの再生動作を説明するフローチャート。
【符号の説明】
【００５９】
１…ターンテーブル、２…スピンドルモータ、３…サーボ制御部、４…光ピックアップ、５…再生アンプ、６…信号処理部、７…メモリ制御部、８…RAM、９…DAC、１０…出力端子、１１…制御部、１２…操作部、１３…表示部、２１…操作円盤部、２２…円盤部、２２a…スリット部、２２b…突起部、２３…回転軸、２４…弾性部、２５…保持部、２６…第１光センサ部、２７…第２光センサ部、２８…パネル、２９…筐体部、３０…第１磁石、３１…第２磁石、３２…検出スイッチ
【図１】
2005158099.tif 000003
【図２】
2005158099.tif 000004
【図３】
2005158099.tif 000005
【図４】
2005158099.tif 000006
【図５】
2005158099.tif 000007
【図６】
2005158099.tif 000008
【図７】
2005158099.tif 000009
【図８】
2005158099.tif 000010
【図９】
2005158099.tif 000011